(57)【要約】  この発明は、少なくとも一つの通信網を介した一方の端末（ＵＥ１）と他方の端末（ＵＥ２）間での通話接続中に第一のサービスから第二のサービスに切り替えるための信号伝送方法及び装置に関する。この発明では、一方の端末（ＵＥ１）と他方の端末（ＵＥ２）間での通話接続中に第一のサービスから第二のサービスに切り替える際に、通信ネットワークのネットワークユニット（Ｓ−ＭＳＣ１，Ｓ−ＭＳＣ２）が、その時点で端末（ＵＥ１，ＵＥ２）と通信している少なくとも一つの別のネットワークユニット（Ｓ−ＭＳＣ１，Ｓ−ＭＳＣ２，Ｇ−ＭＳＣ１，Ｇ−ＭＳＣ２）に対して、その切替が端末（ＵＥ１，ＵＥ２）により始動されたのか、或いは通信ネットワークのネットワークユニット（Ｓ−ＭＳＣ１，Ｓ−ＭＳＣ２）により始動されたのかを信号伝送する。
2008533770.tif 000002
【特許請求の範囲】
【請求項１】
少なくとも一つの通信ネットワークを介した一方の端末（ＵＥ１）と他方の端末（ＵＥ２）間での通話接続中に第一のサービスから第二のサービスに切り替えるための信号伝送方法において、
一方の端末（ＵＥ１）と他方の端末（ＵＥ２）間での通話接続中に第一のサービスから第二のサービスに切り替える際に、通信ネットワークのネットワークユニット（Ｓ−ＭＳＣ１，Ｓ−ＭＳＣ２）が、その時点で端末（ＵＥ１，ＵＥ２）と通信している少なくとも一つの別のネットワークユニット（Ｓ−ＭＳＣ１，Ｓ−ＭＳＣ２，Ｇ−ＭＳＣ１，Ｇ−ＭＳＣ２）に対して、その切替が端末（ＵＥ１，ＵＥ２）により始動されたのか、或いはネットワークユニット（Ｓ−ＭＳＣ１，Ｓ−ＭＳＣ２）により始動されたのかを信号伝送することを特徴とする方法。
【請求項２】
通信接続中に、音声電話サービスからビデオ電話サービス、テキスト電話サービス又は画像電話サービスへの切替が行われることを特徴とする請求項１に記載の方法。
【請求項３】
当該のネットワークユニット（Ｓ−ＭＳＣ１，Ｓ−ＭＳＣ２）と少なくとも一つの別のネットワークユニット（Ｓ−ＭＳＣ１，Ｓ−ＭＳＣ２，Ｇ−ＭＳＣ１，Ｇ−ＭＳＣ２）間の少なくとも一つの信号伝送情報が、一方の端末（ＵＥ１）と他方の端末（ＵＥ２）間での通話接続中に第一のサービスから第二のサービスへの切替が通信ネットワークのネットワークユニット（Ｓ−ＭＳＣ１，Ｓ−ＭＳＣ２）により始動されたことを示す少なくとも一つのパラメータを有することを特徴とする請求項１に記載の方法。
【請求項４】
当該の少なくとも一つのパラメータが、切替が端末（ＵＥ１，ＵＥ２）により始動されたのか、或いは通信ネットワークのネットワークユニット（Ｓ−ＭＳＣ１，Ｓ−ＭＳＣ２）により始動されたのかを示すＭｕＭｅダミーコーデックに付加されることを特徴とする請求項２に記載の方法。
【請求項５】
当該の切替が通信ネットワークのネットワークユニット（Ｓ−ＭＳＣ１，Ｓ−ＭＳＣ２）により始動された場合、ＭｕＭｅダミーコーデックの帯域幅乗数パラメータの最上位ビットが変更されることを特徴とする請求項４に記載の方法。
【請求項６】
ＢＩＣＣ−コーデックネゴシエーション及び／又はＢＩＣＣ−コーデックモディフィケーション内のＭｕＭｅダミーコーデックは、別のダミーコーデックによって置き換えられて、当該の音声電話サービスからビデオ電話サービスへの切替が通信ネットワークのネットワークユニット（Ｓ−ＭＳＣ１，Ｓ−ＭＳＣ２）により始動されたことを示す少なくとも一つのパラメータを含むようになることを特徴とする請求項１に記載の方法。
【請求項７】
音声電話サービスからビデオ電話サービスに切り替える際に、端末（ＵＥ１，ＵＥ２）が音声電話サービスからビデオ電話サービスへの切替を始動した場合にのみ使用されるＭｕＭｅダミーコーデックが用いられることを特徴とする請求項２に記載の方法。
【請求項８】
音声電話サービスからビデオ電話サービスに切り替える際に、通信ネットワークのネットワークユニット（Ｓ−ＭＳＣ１，Ｓ−ＭＳＣ２）が音声電話サービスからビデオ電話サービスへの切替を始動した場合にのみ使用される別のＭｕＭｅダミーコーデックが用いられることを特徴とする請求項７に記載の方法。
【請求項９】
当該のＭｕＭｅダミーコーデックと別のＭｕＭｅダミーコーデックが、「コーデック識別子」パラメータの値によって弁別されることを特徴とする請求項７又は８に記載の方法。
【請求項１０】
当該のＭｕＭｅダミーコーデックが、ＢＩＣＣ−コーデックネゴシエーション及び／又はＢＩＣＣ−コーデックモディフィケーション用信号伝送の枠組み内において使用されることを特徴とする請求項１から９までのいずれか一つに記載の方法。
【請求項１１】
当該の別のＭｕＭｅダミーコーデックが、ＢＩＣＣ−コーデックネゴシエーション及び／又はＢＩＣＣ−コーデックモディフィケーション用信号伝送の枠組み内において使用されることを特徴とする請求項８に記載の方法。
【請求項１２】
第一のサービスから第二のサービスに切り替える際に、当該の切替が端末（ＵＥ１，ＵＥ２）により始動されたのか、或いはネットワークユニット（Ｓ−ＭＳＣ１，Ｓ−ＭＳＣ２）により始動されたのかに関する少なくとも一つの情報を含む信号を受信した別のネットワークユニット（Ｓ−ＭＳＣ１，Ｓ−ＭＳＣ２，Ｇ−ＭＳＣ１，Ｇ−ＭＳＣ２）が、その少なくとも一つの情報自体を記録するか、別のネットワークユニット（Ｓ−ＭＳＣ１，Ｓ−ＭＳＣ２，Ｇ−ＭＳＣ１，Ｇ−ＭＳＣ２，課金ユニット）に転送するか、或いはその両方を行うことを特徴とする請求項１から１１までのいずれか一つに記載の方法。
【請求項１３】
ネットワークユニット（Ｓ−ＭＳＣ１，Ｓ−ＭＳＣ２）は、当該の切替が端末（ＵＥ１，ＵＥ２）により始動されたのか、或いはネットワークユニット（Ｓ−ＭＳＣ１，Ｓ−ＭＳＣ２）により始動されたのかに関する少なくとも一つの情報を、当該サービスの課金に関する決定を下すために使用することを特徴とする請求項１２に記載の方法。
【請求項１４】
端末（ＵＥ１，ＵＥ２）が第一のサービスから第二のサービスへの切替を始動した場合、少なくとも一つの情報が、ネットワークユニット（Ｓ−ＭＳＣ１，Ｓ−ＭＳＣ２）によって保存されることを特徴とする請求項１から１３までのいずれか一つに記載の方法。
【請求項１５】
当該の少なくとも一つの情報が、端末（ＵＥ１，ＵＥ２）の少なくとも一つの識別子情報を有することを特徴とする請求項１４に記載の方法。
【請求項１６】
ネットワークユニット（Ｓ−ＭＳＣ１，Ｓ−ＭＳＣ２）が、サービス提供用中継ユニット（Ｓ−ＭＳＣ）及び／又はサービス提供用ＧＰＲＳサポートノード（ＳＧＳＮ）であることを特徴とする請求項１から１５までのいずれか一つに記載の方法。
【請求項１７】
別のネットワークユニット（Ｓ−ＭＳＣ１，Ｓ−ＭＳＣ２，Ｇ−ＭＳＣ１，Ｇ−ＭＳＣ２）が、課金ユニット、サービス提供用中継ユニット（Ｓ−ＭＳＣ）、サービス提供用ＧＰＲＳサポートノード（ＳＧＳＮ）、ゲートウェイ中継ユニット（Ｇ−ＭＳＣ）又はゲートウェイＧＰＲＳサポートノード（ＧＧＳＮ）であることを特徴とする請求項１から１６までのいずれか一つに記載の方法。
【請求項１８】
端末（ＵＥ１，ＵＥ２）として、移動体無線端末、携帯可能なコンピュータ、携帯可能なオーガナイザー又はコンピュータが使用されることを特徴とする請求項１から１７までのいずれか一つに記載の方法。
【請求項１９】
ＳＣＵＤＩＦの枠組み内で標準化された信号方式が、端末（ＵＥ１，ＵＥ２）と通信ネットワークのネットワークユニット（Ｓ−ＭＳＣ１，Ｓ−ＭＳＣ２）間で使用されることを特徴とする請求項１から１８までのいずれか一つに記載の方法。
【請求項２０】
ＳＣＵＤＩＦの枠組み内で標準化された信号方式が、通信ネットワークのネットワークユニット（Ｓ−ＭＳＣ１，Ｓ−ＭＳＣ２，Ｇ−ＭＳＣ１，Ｇ−ＭＳＣ２）間で使用されることを特徴とする請求項１から１９までのいずれか一つに記載の方法。
【請求項２１】
通信ネットワークとして、パケット交換通信ネットワーク、セルラー移動体無線ネットワーク又はＩＰネットワークが使用されることを特徴とする請求項１から２０までのいずれか一つに記載の方法。
【請求項２２】
少なくとも一つの通信ネットワークを介した一方の端末（ＵＥ１）と他方の端末（ＵＥ２）間での通話接続中に第一のサービスから第二のサービスに切り替えることに関する情報を信号伝送及び受信するためのネットワークユニットであって、
通信を行うための受信ユニット（Ｅ）及び送信ユニット（Ｓ）と、
一方の端末（ＵＥ１）と他方の端末（ＵＥ２）間での通話接続中に第一のサービスから第二のサービスに切り替える際に、別のネットワークユニット（Ｓ−ＭＳＣ１，Ｓ−ＭＳＣ２，Ｇ−ＭＳＣ１，Ｇ−ＭＳＣ２）に対して、その切替が端末（ＵＥ１，ＵＥ２）により始動されたのか、或いは通信ネットワークのネットワークユニット（Ｓ−ＭＳＣ１，Ｓ−ＭＳＣ２）により始動されたのかを示す情報を信号伝送するための処理ユニット（Ｖ）と、
を備えたネットワークユニット。
【請求項２３】
別のネットワークユニット（Ｓ−ＭＳＣ１，Ｓ−ＭＳＣ２，Ｇ−ＭＳＣ１，Ｇ−ＭＳＣ２）として、課金ユニット、ゲートウェイ中継ユニット（Ｇ−ＭＳＣ）、サービス提供用中継ユニット（Ｓ−ＭＳＣ）又はゲートウェイＧＰＲＳサポートノード（ＧＧＳＮ）が配備されていることを特徴とする請求項２２に記載のネットワークユニット。
【発明の詳細な説明】
【技術分野】
【０００１】
この発明は、少なくとも一つの通信ネットワークを介した一方の端末と他方の端末間での通話接続中に第一のサービスから第二のサービスに切り替えるための信号を伝送する方法及びネットワークユニットに関する。
【背景技術】
【０００２】
第３世代パートナーシップ・プロジェクト（３ＧＰＰ）によって、３ＧＰＰ移動体無線ネットワークに関する所謂「サービス切替及びＵＤＩフォールバックサービス（Ｓｅｒｖｉｃｅ  Ｃｈａｎｇｅ  ａｎｄ  ＵＤＩ  Ｆａｌｌｂａｃｋ  ｓｅｒｖｉｃｅ  ：  ＳＣＵＤＩＦ）」が非特許文献１として標準化されている。ＳＣＵＤＩＦにより、通話接続の確立時に、ビデオ電話接続を確立するのか、或いは音声電話接続を確立するのかをネゴシエーションすることが可能となる。例えば、発呼者の端末がビデオ電話をサポートしていない場合、音声接続が確立されることとなる。更に、ＳＣＵＤＩＦにより、端末のユーザーが、ネットワーク接続の確立中に音声電話とビデオ電話との間を切り替えることが可能となる。更に、例えば、無線インタフェースでの伝送条件の悪化又はリソース不足のために有利である場合、任意の端末のユーザー側における通信ネットワークのネットワークユニットが、ビデオ電話から音声電話への切替を始動することが可能である。その後再び伝送条件が改善するか、或いは十分なリソースが利用可能となった場合に、その端末のユーザー側における通信ネットワークのネットワークユニットが、再び音声電話からビデオ電話への切り戻しを始動することができる。
【０００３】
最初に音声電話接続が確立された場合、端末のユーザーは、通話中にビデオ電話への切替を始動することが可能である。そのユーザーは、当初の被呼ユーザーであることができる。その時点以降、ビデオ電話への切替を始動した端末のユーザーに対して、その通話か、さもなければ少なくともビデオ電話により発生する音声電話と比べた追加費用を料金請求するとともに、ネットワーク事業者も、その費用を互いに相応に分け合うことができる必要がある。
【０００４】
しかし、一方の加入者側のネットワークが、ビデオ電話から音声電話への切替とその後のビデオ電話への切り戻しを始動しなかった場合、そのユーザーではなく、当初ビデオ電話への切替を始動したユーザーに対して、ビデオ電話への切替時点以降、その通話か、さもなければ少なくともビデオ電話により発生する音声電話と比べた追加費用を料金請求するとともに、ネットワーク事業者も、その費用を互いに相応に分け合うことができる必要がある。
【０００５】
３ＧＰＰ移動体無線ネットワークの所謂「コアネットワーク」では、所謂「移動体サービス交換センサー（ＭＳＣ）」が、中継ユニットとして使用されている。所謂「サービス提供用中継ユニット（Ｓｅｒｖｉｎｇ  ＭＳＣ  ：  Ｓ−ＭＳＣ）」と所謂「ゲートウェイ中継ユニット（Ｇａｔｅｗａｙ  ＭＳＣ  ：  Ｇ−ＭＳＣ）」とは相異なるものである。端末のユーザーのＳ−ＭＳＣは、端末のユーザーがちょうど留まっている移動体無線ネットワーク内に有り、コアネットワークは、所謂「無線アクセスネットワーク」と接続されている。端末のユーザーのＧ−ＭＳＣは、端末のユーザーがネットワーク事業者に対して登録している所謂ホーム移動体無線ネットワーク内に有り、この移動体無線ネットワークは、別の端末の他方のユーザー側におけるネットワークと接続されている。
【０００６】
ＳＣＵＤＩＦは、コアネットワーク内、即ち、中継ユニットＭＳＣ間において、ＢＩＣＣコーデックネゴシエーション（非特許文献２及び３参照）を使用しており、ビデオ電話の信号伝送のために、非特許文献４により標準化されている所謂「ＭｕＭｅ  Ｄｕｍｍｙ  Ｃｏｄｅｃ（ダミーコーデック）」が用いられる。
【非特許文献１】第３世代パートナーシップ・プロジェクト第２３．１７２号技術仕様書
【非特許文献２】第３世代パートナーシップ・プロジェクト第２３．１５３号技術仕様書
【非特許文献３】国際電気通信連合−電気通信標準化部門  勧告Ｑ．１９０２．５
【非特許文献４】第３世代パートナーシップ・プロジェクト第２６．１０３号技術仕様書
【発明の開示】
【発明が解決しようとする課題】
【０００７】
この発明の課題は、通話接続中に第一のサービスから第二のサービスに切り替えるための信号伝送方式に関する効率的かつ安価な実現手段を提案することである。
【課題を解決するための手段】
【０００８】
この課題は、この発明にもとづき、それぞれ独立請求項に記載された構成によって解決される。この発明の改善構成は、従属請求項に挙げられている。
【０００９】
この発明の主要部分は、少なくとも一つの通信ネットワークを介した一方の端末と他方の端末間での通話接続中に第一のサービスから第二のサービスに切り替える際に、通信ネットワークの一方のネットワークユニットが、その端末とその時点で通信している少なくとも一つの別のネットワークユニットに対して、その切替が、端末により始動されたのか、或いは通信ネットワークのネットワークユニットにより始動されたのかを信号伝送することである。
【００１０】
通話接続中に、例えば、音声電話、テキスト電話、画像電話又はビデオ電話サービスの間でサービスを切り替える場合、一方の端末のユーザー側におけるネットワークユニット、即ち、通信ネットワークのネットワークユニットは、その端末とその時点で通信している、例えば、サービス提供用中継ユニットＳ−ＭＳＣ、サービス提供用ＧＰＲＳサポートノード（Ｓｅｒｖｉｎｇ  ＧＰＲＳ  Ｓｕｐｐｏｒｔ  Ｎｏｄｅ  ：  ＳＧＳＮ）などを介して、少なくとも一つの別のネットワークユニット、例えば、サービス提供用中継ユニットＳ−ＭＳＣ、サービス提供用ＧＰＲＳサポートノードＳＧＳＮ、ゲートウェイ中継ユニット、ゲートウェイＧＰＲＳサポートノード（Ｇｅｗａｙ  ＧＰＲＳ  Ｓｕｐｐｏｒｔ  Ｎｏｄｅ）などに対して、その切替が、端末から始動されたのか、或いは通信ネットワークから始動されたのかを信号伝送する。この場合、通信ネットワークは、パケット交換通信ネットワーク、セルラー移動体無線ネットワーク、ＩＰネットワーク等であることができ、端末としては、特に、移動体無線端末、携帯可能なコンピュータ、携帯可能なオーガナイザー、コンピュータ等を用いることができる。
【００１１】
有利な実施構成では、このような信号伝送が、音声電話サービスからビデオ電話サービスへの切替時に使用される。
【００１２】
通信ネットワークにより始動される音声電話からビデオ電話への切替は、非特許文献１の（３ＧＰＰリリース５での）ユーザーにより始動される切替よりも後のリリース（３ＧＰＰリリース６）で初めて導入されたので、既存の信号方式を拡張することによって、通信ネットワークのネットワークユニットにより切替が始動された場合にのみ提示するのが有利である。そうすることによって、ネットワークユニットは、例えば、通信ネットワークにより始動される信号伝送をサポートしないサービス提供用中継ユニットＳ−ＭＳＣに対して、そのような信号方式の拡張部を送信する必要がなくなる。
【００１３】
そのために、特に有利な実施構成では、ＭｕＭｅダミーコーデック内に、切替が端末のユーザーから始動されたのか、或いは通信ネットワークのネットワークユニットから始動されたのかを示す少なくとも一つの新しいパラメータを導入する。そのために、有利には、例えば、通信ネットワークのネットワークユニットにより切替が始動された場合に、ＭｕＭｅダミーコーデックの所謂「帯域幅乗数（Ｂａｎｄｗｉｄｔｈ  Ｍｕｌｔｉｐｌｉｅｒ）」パラメータの所謂「最上位（Ｍｏｓｔ  Ｓｉｇｎｉｆｉｃａｎｔ）」ビットをセット又は変更することができる。１２８＊６４ｋビット／秒より広い帯域幅による接続を要求されることとなるので、このビットは、当分の間これ以外の用途では必要とされない。こうすることによって、必要な符号化の変更が小さく抑えられる。
【００１４】
これに代わる有利な実施構成では、ＢＩＣＣコーデックネゴシエーションのＭｕＭｅダミーコーデックは、例えば、通信ネットワークのネットワークユニットからビデオ電話への切替が始動されたのか否かを示す新しいパラメータを含む新しいダミーコーデックにより置き換えられる。この実施構成は、新しいダミーコーデックを未だサポートしていないリリース５に準拠した中継ユニットが、そのようなコーデックをＢＩＣＣコーデックネゴシエーション自身の中では提示せず、新しいダミーコーデックを提示された場合には、それを拒否するという利点を有する。新しいダミーコーデックをサポートする中継ユニットＭＳＣは、新しいダミーコーデックを未だサポートしていない中継ユニットＭＳＣとの接続を確立可能とするために、従来のＭｕＭｅダミーコーデックを追加して提示すべきである。そうすることによって、通信ネットワークにより始動された切替は拒否されるが、リリース５に準拠する中継ユニットＭＳＣによって認識されず、そのため場合によっては正しく料金請求されなくなるということを防止することができる。
【００１５】
これに代わる特に有利な実施構成では、端末がビデオ伝送（ビデオ電話サービス）への切替を始動した場合にのみ、既に標準化されているＭｕＭｅダミーコーデックをサービス切替用の信号伝送で使用する。通信ネットワークのネットワークユニットがビデオ電話サービスへのサービス切替を始動した場合にのみ使用される別の追加的なＭｕＭｅダミーコーデックを新たに導入する。この場合、新しい別のＭｕＭｅダミーコーデックは、非特許文献４に準拠するＭｕＭｅダミーコーデックに相当するが、区別するために、所謂コーデック識別子パラメータに別の値を用いる。この実施構成は、この前に述べた実施構成と同じ利点を有する。更に、符号化法の変更は依然として小さく、その結果関与するネットワークノードを適合させるための負担が同じく小さくなる。
【００１６】
端末がサービスを始動したことを示す信号を送信又は受信したネットワークユニットは、どの端末がそのサービスを始動したのかを保存するのが有利である。通信ネットワークのネットワークユニットからそのサービスへの切替が始動された場合、端末の識別子情報を含めることができる保存情報から、どの端末にそのサービスの料金を請求すべきであるのかを決定することができる。
【００１７】
この発明では、通話接続中に、例えば、音声電話とビデオ電話間でのサービスの切替を始動する信号を受信した別のネットワークユニットは、その信号から、端末により切替が始動されたのか、或いは通信ネットワークのネットワークユニットにより切替が始動されたのかを導き出す。そのようなネットワークノードは、例えば、サービス提供用中継ユニットＳ−ＭＳＣ又はゲートウェイ中継ユニットＧ−ＭＳＣであることができる。ネットワークユニットは、この情報を使用して、そこに記録又は転送されたデータ、例えば、課金に関するデータから、切替が通信ネットワークのネットワークユニットにより始動されたのか、或いは端末により始動されたのかを弁別することができる。この場合、課金は、課金ユニットによって行われる。例えば、音声電話サービスからビデオ電話サービスへの切替がユーザー（又は端末）によって始動された場合、その時点以降、切替を始動した端末のユーザーに対して、その通話か、さもなければ少なくともビデオ電話サービスにより発生する音声電話サービスと比べた追加費用が料金請求されるとともに、ネットワーク事業者も、そのコストを互いに相応に分け合う。例えば、（ビデオ伝送を伴わない）音声電話サービスからビデオ電話サービスへの切替が通信ネットワークのネットワークユニットによって始動された場合、例えば、当初ビデオ電話サービスを始動した加入者に対して、ビデオ電話サービスに切り替えられた時点以降、その通話か、さもなければ少なくともビデオ電話サービスにより発生する音声電話サービスと比べた追加費用が料金請求されるとともに、ネットワーク事業者も、そのコストを互いに相応に分け合う。
【００１８】
この発明の利点は、コアネットワークの全てのネットワークユニットが、サービスの切替が通信ネットワークのネットワークユニットにより始動されたのか、或いは端末により始動されたのかを弁別する手段を特に簡単な手法で保有することである。それによって、ビデオ電話サービスに関して、ＳＣＵＤＩＦの枠組み内において、端末のユーザーに対する、並びにネットワーク事業者間での正しい課金が実現可能となる。
【発明を実施するための最良の形態】
【００１９】
図面に図示した実施例にもとづき、この発明を詳しく説明する。
【００２０】
図１は、典型的なネットワーク構成を図示している。所謂「訪問先の」移動体無線ネットワーク１又は２内に有り、所謂「ホームネットワーク」１又は２に登録されている二つの端末ＵＥ１とＵＥ２が図示されている。訪問先の移動体無線ネットワークは、それぞれ無線アクセスネットワークとコアネットワークから構成されており、所謂サービス提供用中継ユニット（Ｓｅｒｖｉｎｇ  ＭＳＣ）Ｓ−ＭＳＣ１又はＳ−ＭＳＣ２を有する。ホームネットワークは、それぞれ所謂ゲートウェイ中継ユニット（Ｇａｔｅｗａｙ  ＭＳＣ）Ｇ−ＭＳＣ１又はＧ−ＭＳＣ２を有する。端末ＵＥ１は、サービス提供用中継ユニットＳ−ＭＳＣ１、ゲートウェイ中継ユニットＧ−ＭＳＣ１、ゲートウェイ中継ユニットＧ−ＭＳＣ２及びサービス提供用中継ユニットＳ−ＭＳＣ２を介して他方の端末ＵＥ２と接続される。
【００２１】
図２は、この発明による信号伝送フローを図示している。図示されている信号伝送フローは、次の通りである。
【００２２】
工程１
端末ＵＥ１の加入者１は、端末ＵＥ２の加入者２とのＳＣＵＤＩＦ接続を確立することを決めて、先ずは音声電話サービスを希望する。それに対応して、端末ＵＥ１は、ＳＥＴＵＰ情報をサービス提供用中継ユニットＳ−ＭＳＣ１に送信し、その中には、既存の標準に準拠して、所謂「リピートインジケータ」ＲＩと所謂「ベアラケーパビリティ」ＢＣＳｐｅｅｃｈ及びＢＣＶｉｄｅｏにより、先ずは音声電話サービスを使用するＳＣＵＤＩＦ接続を確立したいことを提示する。
【００２３】
工程２
サービス提供用中継ユニットＳ−ＭＳＣ１は、ゲートウェイ中継ユニットＧ−ＭＳＣ１に、先ずは音声電話を使用するＳＣＵＤＩＦ接続を確立したいことを信号伝送する。そのために、サービス提供用中継ユニットＳ−ＭＳＣ１は、既存の標準に準拠して、一つ以上の音声コーデックと、非特許文献４に準拠するＭｕＭｅダミーコーデックに対応するＭｕＭｅ  Ｃｏｄｅｃ  Ｏｌｄとから成るコーデックリストを含む所謂ＢＩＣＣコーデックネゴシエーションのＢＩＣＣ−ＩＡＭ情報を使用する。このリスト内のコーデックの順番は、どのコーデックが優先されるのかを表している。この発明では、このリストは、サービスの切替が通信ネットワークのネットワークユニットＳ−ＭＳＣ１から始動されたのか、或いは端末ＵＥ１から始動されたのかを一つのパラメータで表すことが可能な、この発明による別のＭｕＭｅ  Ｃｏｄｅｃ  Ｎｅｗも含んでいる。サービス提供用中継ユニットＳ−ＭＳＣ１は、訪問先の移動体無線ネットワーク１の事業者によるホームネットワーク１の事業者に対する料金請求のために課金用データを記録するか、別のネットワークユニット、例えば、課金ユニットに転送するか、或いはその両方を行うこともできる。この場合、サービス提供用中継ユニットＳ−ＭＳＣ１は、端末ＵＥ１の加入者１がコールの確立を発出したことを記録又は保存する。
【００２４】
工程３
ゲートウェイ中継ユニットＧ−ＭＳＣ１は、既存のＢＩＣＣ標準に準拠するＩＡＭ情報を受信した場合、その中に含まれるコーデックをサポート可能であるか否かを調べて、リストから不明なコーデックを取り除き、そしてそのリストをＩＡＭ情報で次のネットワークユニットに転送する。即ち、ゲートウェイ中継ユニットＧ−ＭＳＣ１は、この発明により新たに導入されたＭｕＭｅ  Ｃｏｄｅｃ  Ｎｅｗをサポートしない場合、そのコーデックをリストから取り除く。しかし、この例では、ゲートウェイ中継ユニットＧ−ＭＳＣ１がＭｕＭｅ  Ｃｏｄｅｃ  Ｎｅｗをサポートしていると仮定している。場合によっては、サービス提供用中継ユニットＳ−ＭＳＣ１とゲートウェイ中継ユニットＧ−ＭＳＣ１の間に、同様の処理を行う別のＢＩＣＣ中継ユニットが有る。ゲートウェイ中継ユニットＧ−ＭＳＣ１は、ホームネットワーク１の事業者による端末ＵＥ１の加入者１と訪問先の移動体無線ネットワーク１及びホームネットワーク２の事業者に対する料金請求のために課金用データを記録するか、別のネットワークユニット、例えば、課金ユニットに転送するか、或いはその両方を行うこともできる。この場合、ゲートウェイ中継ユニットＧ−ＭＳＣ１は、端末ＵＥ１の加入者１がコールの確立を発出したことを記録する。ゲートウェイ中継ユニットＧ−ＭＳＣ１は、ゲートウェイ中継ユニットＧ−ＭＳＣ２にＩＡＭ情報を転送する。
【００２５】
工程４
工程３と同様に、ゲートウェイ中継ユニットＧ−ＭＳＣ２は、コーデックリストを調べて、サービス提供用中継ユニットＳ−ＭＳＣ２にＩＡＭ情報を転送し、課金用データを記録する。
【００２６】
工程５
サービス提供用中継ユニットＳ−ＭＳＣ２は、工程３と同様に、コーデックリストを調べ、既存の標準に準拠して、所謂ＳＥＴＵＰ情報を用いて、先ずは音声電話（音声電話サービス）を使用するＳＣＵＤＩＦ接続を確立したいことを他方の端末ＵＥ２に信号伝送する。工程１と同様に、所謂「リピートインジケータ」ＲＩ及び所謂「ベアラケーパビリティ」ＢＣＳｐｅｅｃｈ及びＢＣＶｉｄｅｏが使用される。工程２と同様に、サービス提供用中継ユニットＳ−ＭＳＣ２は、課金用データを記録することができる。サービス提供用中継ユニットＳ−ＭＳＣ２は、既存のＢＩＣＣ標準に準拠して、コーデックリストに含まれているコーデックを保存して、その後のＢＩＣＣ−ＭＯＤＩＦＹ  ＣＯＤＥＣ情報（ＢＩＣＣ−ＣＯＤＥＣ  ＭＯＤＩＦＩＣＡＴＩＯＮ）内のコーデックだけを使用してもよい。
【００２７】
工程６
他方の端末ＵＥ２は、既存の標準に準拠して、所謂ＣＡＬＬ−ＣＯＮＦＩＲＭＥＤ情報によりＳＥＴＵＰ情報の受信を確認する。工程１と同様に、所謂「リピートインジケータ」ＲＩ及び所謂「ベアラケーパビリティ」ＢＣＳｐｅｅｃｈ及びＢＣＶｉｄｅｏが使用される。端末ＵＥ２は、例えば、ベルを鳴らすことによって、加入者２に通報する。
【００２８】
工程７
サービス提供用中継ユニットＳ−ＭＳＣ２は、既存の標準に準拠して、工程５で検知されたコーデックリストを含むＢＩＣＣ−ＡＰＭ情報を送信する。
【００２９】
工程８
ゲートウェイ中継ユニットＧ−ＭＳＣ２は、ＢＩＣＣ−ＡＰＭ情報を転送する。
【００３０】
工程９
ゲートウェイ中継ユニットＧ−ＭＳＣ１は、ＢＩＣＣ−ＡＰＭ情報を転送する。サービス提供用中継ユニットＳ−ＭＳＣ１は、既存の標準に準拠して、ＡＰＭ情報に含まれるコーデックリストを保存する。
【００３１】
工程１０
サービス提供用中継ユニットＳ−ＭＳＣ１は、既存の標準に準拠して、端末ＵＥ１に対して、所謂ＣＡＬＬ−ＰＲＯＣＥＥＤＩＮＧ情報を用いてＳＣＵＤＩＦ接続の確立を受信したことを確認する。工程１と同様に、所謂「リピートインジケータ」ＲＩ及び所謂「ベアラケーパビリティ」ＢＣＳｐｅｅｃｈ及びＢＣＶｉｄｅｏが使用される。
【００３２】
工程１１
端末ＵＥ２の加入者２は、呼び掛けを受け入れる。そのために、他方の端末ＵＥ２は、既存の標準に準拠して、所謂ＣＯＮＮＥＣＴ情報を信号伝送する。
【００３３】
工程１２
サービス提供用中継ユニットＳ−ＭＳＣ２は、所謂ＢＩＣＣ−ＡＮＭ情報を送信し、課金のために接続が実現されたことを記録する。
【００３４】
工程１３
ゲートウェイ中継ユニットＧ−ＭＳＣ２は、ＢＩＣＣ−ＡＮＭ情報を転送し、課金のために接続が実現されたことを記録する。
【００３５】
工程１４
ゲートウェイ中継ユニットＧ−ＭＳＣ１は、ＢＩＣＣ−ＡＮＭ情報を転送し、課金のために接続が実現されたことを記録する。
【００３６】
工程１５
サービス提供用中継ユニットＳ−ＭＳＣ１は、所謂ＣＯＮＮＥＣＴ情報を端末ＵＥ１に送信し、課金のために接続が実現されたことを記録する。
【００３７】
この段階で、音声電話サービスを使用するＳＣＵＤＩＦ接続が確立されたことになる。この音声電話接続は、端末ＵＥ１の加入者１に料金請求される。端末ＵＥ１の加入者１と端末ＵＥ２の加入者２は、一方の端末ＵＥ１又は他方の端末ＵＥ２から、ビデオ電話サービスへの切替が可能であることの通知を受けることが可能な状態となる。
【００３８】
工程１６
端末ＵＥ２の加入者２は、ビデオ電話（ビデオ電話サービス）への切替を始動する。
【００３９】
工程１７
他方の端末ＵＥ２は、既存の標準に準拠して、所謂ＢＣＶｉｄｅｏパラメータを含むＭＯＤＩＦＹ情報を送信する。
【００４０】
工程１８
サービス提供用中継ユニットＳ−ＭＳＣ２は、所謂ＢＩＣＣ−ＭＯＤＩＦＹ  ＣＯＤＥＣ情報を送信する。この発明では、サービス提供用中継ユニットＳ−ＭＳＣ２は、その中のＭｕＭｅ  Ｃｏｄｅｃ  Ｎｅｗを使用するとともに、サービス切替が端末ＵＥ２から始動されたことを一つのパラメータを用いて提示する。ＭｕＭｅ  Ｃｏｄｅｃ  Ｎｅｗが、工程５で検知されたコーデックリストに含まれていない場合、サービス提供用中継ユニットＳ−ＭＳＣ２は、その代わりにＭｕＭｅ  Ｃｏｄｅｃ  Ｏｌｄを使用する（図２には図示されていない）。サービス提供用中継ユニットＳ−ＭＳＣ２は、訪問先の移動体無線ネットワーク２の事業者によるホームネットワーク２の事業者に対する料金請求のために課金用データを記録するか、別のネットワークユニットに転送するか、或いはその両方を行うこともできる。この場合、サービス提供用中継ユニットＳ−ＭＳＣ２は、端末ＵＥ２の加入者２がビデオ電話への切替を発動したことを記録又は保存する。この発明では、サービス提供用中継ユニットＳ−ＭＳＣ２は、端末ＵＥ２の加入者２がビデオ電話を始動したとの情報自体を保存することもできる。
【００４１】
工程１９
この発明では、ゲートウェイ中継ユニットＧ−ＭＳＣ２は、この発明によるＭｕＭｅ  Ｃｏｄｅｃ  Ｎｅｗ内のパラメータから、端末ＵＥ２の加入者２がビデオ電話への切替を発動したことを読み取って、そのことを課金用データに記録するか、その情報を別のネットワークユニットに転送するか、或いはその両方を行う。ゲートウェイ中継ユニットＧ−ＭＳＣ２が、その代わりにＭｕＭｅ  Ｃｏｄｅｃ  Ｏｌｄを受信した場合、この発明では、ＭｕＭｅ  Ｃｏｄｅｃ  Ｏｌｄが、自らサービス切替を始動しないサービス提供用中継ユニットＳ−ＭＳＣからのみ送信されるので、ゲートウェイ中継ユニットＧ−ＭＳＣ２は、そのことから同様に端末ＵＥ２の加入者２がビデオ電話への切替を発動したことを推定する。この発明では、ゲートウェイ中継ユニットＧ−ＭＳＣ２は、端末ＵＥ２の加入者２がビデオ電話を始動したという情報自体を記録することもできる。ゲートウェイ中継ユニットＧ−ＭＳＣ２は、ＢＩＣＣ−ＭＯＤＩＦＹ  ＣＯＤＥＣ情報を転送する。
【００４２】
工程２０
ゲートウェイ中継ユニットＧ−ＭＳＣ１は、工程１９と同様に動作する。
【００４３】
工程２１
サービス提供用中継ユニットＳ−ＭＳＣ１は、受信したＭｕＭｅ  Ｃｏｄｅｃ  Ｎｅｗを工程１９と同様に評価する。サービス提供用中継ユニットＳ−ＭＳＣ１は、既に標準化されているＭＯＤＩＦＹ情報を使用して、端末ＵＥ１に対してビデオ電話への切替を信号伝送する。
【００４４】
工程２２
端末ＵＥ１の加入者１は、ビデオ電話への切替を受け入れる。端末ＵＥ１は、既存の標準に準拠して、所謂ＭＯＤＩＦＹ−ＣＯＭＰＬＥＴＥ情報を送信する。
【００４５】
工程２３
サービス提供用中継ユニットＳ−ＭＳＣ１は、既存の標準に準拠して、所謂ＢＩＣＣ−ＳＵＣＣＥＳＳＦＵＬ−ＣＯＤＥＣ−ＭＯＤＩＦＩＣＡＴＩＯＮ情報を送信する。
【００４６】
工程２４
ゲートウェイ中継ユニットＧ−ＭＳＣ１は、ＳＵＣＣＥＳＳＦＵＬ−ＣＯＤＥＣ−ＭＯＤＩＦＩＣＡＴＩＯＮ情報を転送する。
【００４７】
工程２５
ゲートウェイ中継ユニットＧ−ＭＳＣ２は、ＳＵＣＣＥＳＳＦＵＬ−ＣＯＤＥＣ−ＭＯＤＩＦＩＣＡＴＩＯＮ情報を転送する。
【００４８】
工程２６
サービス提供用中継ユニットＳ−ＭＳＣ２は、ＭＯＤＩＦＹ−ＣＯＭＰＬＥＴＥ情報を送信する。
【００４９】
この段階で、ビデオ電話のために使用するＳＣＵＤＩＦ接続が確立されたことになる。音声電話接続と比べたビデオ電話接続の追加費用か、さもなければビデオ電話への切替以降の通話全体の費用が、端末ＵＥ２の加入者２に料金請求される。
【００５０】
工程２７
サービス提供用中継ユニットＳ−ＭＳＣ１は、端末ＵＥ１の加入者１との無線インタフェースのリソースがもはやビデオ電話を許容しないことを確認する。
【００５１】
工程２８
サービス提供用中継ユニットＳ−ＭＳＣ１は、音声電話への切替を始動するために、既に標準化されているＢＣＳｐｅｅｃｈパラメータを含むＭＯＤＩＦＹ情報を端末ＵＥ１に送信する。
【００５２】
工程２９
端末ＵＥ１は、既存の標準に準拠して、その切替の受け入れを確認するために、所謂ＭＯＤＩＦＹ−ＣＯＭＰＬＥＴＥ情報を送信する。
【００５３】
工程３０
サービス提供用中継ユニットＳ−ＭＳＣ１は、音声コーデックを含む所謂ＢＩＣＣ−ＭＯＤＩＦＹ  ＣＯＤＥＣ情報を送信する。サービス提供用中継ユニットＳ−ＭＳＣ１は、訪問先の移動体無線ネットワーク２の事業者によるホームネットワーク２の事業者への料金請求のために、課金用データを記録するか、別のネットワークユニットに転送するか、或いはその両方を行うこともできる。この場合、サービス提供用中継ユニットＳ−ＭＳＣ１は、音声電話への切替が始動されたことを記録する。
【００５４】
工程３１
ゲートウェイ中継ユニットＧ−ＭＳＣ１は、音声への切替を課金用データに記録するか、その情報を別のネットワークユニットに転送するか、或いはその両方を行う。ゲートウェイ中継ユニットＧ−ＭＳＣ１は、ＢＩＣＣ−ＭＯＤＩＦＹ  ＣＯＤＥＣ情報を転送する。
【００５５】
工程３２
ゲートウェイ中継ユニットＧ−ＭＳＣ２は、工程３１と同様に動作する。
【００５６】
工程３３
サービス提供用中継ユニットＳ−ＭＳＣ２は、工程３１と同様に音声への切替を保存する。サービス提供用中継ユニットＳ−ＭＳＣ２は、既に標準化されているＭＯＤＩＦＹ情報を使用して、他方の端末ＵＥ２に音声への切替を信号伝送する。
【００５７】
工程３４
他方の端末ＵＥ２は、既存の標準に準拠して、所謂ＭＯＤＩＦＹ−ＣＯＭＰＬＥＴＥ情報を送信する。
【００５８】
工程３５
サービス提供用中継ユニットＳ−ＭＳＣ２は、既存の標準に準拠して、所謂ＢＩＣＣ−ＳＵＣＣＥＳＳＦＵＬ−ＣＯＤＥＣ−ＭＯＤＩＦＩＣＡＴＩＯＮ情報を送信する。
【００５９】
工程３６
ゲートウェイ中継ユニットＧ−ＭＳＣ２は、ＳＵＣＣＥＳＳＦＵＬ−ＣＯＤＥＣ−ＭＯＤＩＦＩＣＡＴＩＯＮ情報を転送する。
【００６０】
工程３７
ゲートウェイ中継ユニットＧ−ＭＳＣ１は、ＳＵＣＣＥＳＳＦＵＬ−ＣＯＤＥＣ−ＭＯＤＩＦＩＣＡＴＩＯＮ情報を転送する。
【００６１】
この段階で、音声電話のために使用されるＳＣＵＤＩＦ接続が確立されたことになる。この接続は、端末ＵＥ１の加入者１が当初のＳＣＵＤＩＦ接続の確立を始動したので、改めて加入者１に料金請求される。
【００６２】
工程３８
サービス提供用中継ユニットＳ−ＭＳＣ１は、端末ＵＥ１の加入者１との無線インタフェースのリソースが改めてビデオ電話を許容することを確認する。この発明では、サービス提供用中継ユニットＳ−ＭＳＣ１は、工程９で受信したコーデックリストにＭｕＭｅ  Ｃｏｄｅｃ  Ｎｅｗが含まれているか否かを調べる。含まれている場合にのみ、サービス提供用中継ユニットＳ−ＭＳＣ１はビデオ電話への切替を始動する。
【００６３】
工程３９
サービス提供用中継ユニットＳ−ＭＳＣ１は、ビデオ電話への切替を提示するために、既に標準化されているＢＣＶｉｄｅｏパラメータを含むＭＯＤＩＦＹ情報を端末ＵＥ１に送信する。
【００６４】
工程４０
端末ＵＥ１の加入者１は、ビデオ電話への切替を受け入れる。端末ＵＥ１は、既存の標準に準拠して、切替の受け入れを確認するために、所謂ＭＯＤＩＦＹ−ＣＯＭＰＬＥＴＥ情報を送信する。
【００６５】
工程４１
サービス提供用中継ユニットＳ−ＭＳＣ１は、所謂ＢＩＣＣ−ＭＯＤＩＦＹ−ＣＯＤＥＣ情報を送信する。この発明では、サービス提供用中継ユニットＳ−ＭＳＣ１は、その中のＭｕＭｅ  Ｃｏｄｅｃ  Ｎｅｗを使用して、サービス切替が通信ネットワークＳ−ＭＳＣ１のネットワークユニットにより始動されたことを一つのパラメータを用いて提示する。サービス提供用中継ユニットＳ−ＭＳＣ１は、訪問先の移動体無線ネットワーク２の事業者によるホームネットワーク２の事業者への料金請求のために課金用データを記録するか、別のネットワークユニットに転送するか、或いはその両方を行うこともできる。この場合、サービス提供用中継ユニットＳ−ＭＳＣ１は、サービス提供用中継ユニットＳ−ＭＳＣ１がビデオ電話への切替を発動したことを記録する。サービス提供用中継ユニットＳ−ＭＳＣ１は、工程２１で保存した、端末ＵＥ２の加入者２がビデオ電話を始動したとの情報を課金用データに挿入することもできる。
【００６６】
工程４２
この発明では、ゲートウェイ中継ユニットＧ−ＭＳＣ１は、この発明によるＭｕＭｅ  Ｃｏｄｅｃ  Ｎｅｗ内のパラメータから、サービス提供用中継ユニットＳ−ＭＳＣ１がビデオ電話への切替を発動したことを読み取って、そのことを課金用データに記録するか、その情報を別のネットワークユニットに転送するか、或いはその両方を行う。ゲートウェイ中継ユニットＧ−ＭＳＣ１は、工程２０で保存した、端末ＵＥ２の加入者２がビデオ電話を始動したとの情報を課金用データに挿入することもできる。
【００６７】
工程４３
ゲートウェイ中継ユニットＧ−ＭＳＣ１は、ＢＩＣＣ−ＭＯＤＩＦＹ  ＣＯＤＥＣ情報を転送する。
【００６８】
工程４４
ゲートウェイ中継ユニットＧ−ＭＳＣ２は、工程４２と同様に動作する。
【００６９】
工程４５
サービス提供用中継ユニットＳ−ＭＳＣ２は、受信したＭｕＭｅ  Ｃｏｄｅｃ  Ｎｅｗを工程４２と同様に評価する。サービス提供用中継ユニットＳ−ＭＳＣ２は、既に標準化されているＭＯＤＩＦＹ情報を使用して、他方の端末ＵＥ２にビデオ電話への切替を信号伝送する。
【００７０】
工程４６
端末ＵＥ２の加入者２は、ビデオ電話への切替を受け入れる。他方の端末ＵＥ２は、既存の標準に準拠して、所謂ＭＯＤＩＦＹ−ＣＯＭＰＬＥＴＥ情報を送信する。
【００７１】
工程４７
サービス提供用中継ユニットＳ−ＭＳＣ２は、既存の標準に準拠して、所謂ＢＩＣＣ−ＳＵＣＣＥＳＳＦＵＬ−ＣＯＤＥＣ−ＭＯＤＩＦＩＣＡＴＩＯＮ情報を送信する。
【００７２】
工程４８
ゲートウェイ中継ユニットＧ−ＭＳＣ２は、ＳＵＣＣＥＳＳＦＵＬ−ＣＯＤＥＣ−ＭＯＤＩＦＩＣＡＴＩＯＮ情報を転送する。
【００７３】
工程４９
ゲートウェイ中継ユニットＧ−ＭＳＣ１は、ＳＵＣＣＥＳＳＦＵＬ−ＣＯＤＥＣ−ＭＯＤＩＦＩＣＡＴＩＯＮ情報を転送する。
【００７４】
この段階で、ビデオ電話のために使用されるＳＣＵＤＩＦ接続が確立されたことになる。音声電話接続と比べたビデオ電話接続の追加費用か、さもなければビデオ電話への切替以降の通話全体の費用が、当初ビデオ電話を始動した端末ＵＥ２の加入者２に料金請求される。
【００７５】
図３は、図１に図示されたネットワーク構成での典型的な信号伝送フローを図示しており、図２と比べて、ビデオ電話への切替を端末が始動したのか、或いは通信ネットワークのネットワークユニットが始動したのかに関する情報の別の符号化法が使用されており、端末の加入者が切替を始動したことを示すために、ＢＩＣＣ−ＭＯＤＩＦＹ情報内のＭｕＭｅ  Ｃｏｄｅｃ  Ｏｌｄが使用されている。通信ネットワークのネットワークユニットが切替を始動したことを示すために、ＢＩＣＣ−ＭＯＤＩＦＹ情報内のＭｕＭｅ  Ｃｏｄｅｃ  Ｎｅｗが使用されている。ＭｕＭｅ  Ｃｏｄｅｃ  Ｏｌｄは、非特許文献４に準拠したＭｕＭｅダミーコーデックに相当する。ＭｕＭｅ  Ｃｏｄｅｃ  Ｎｅｗは、非特許文献４に準拠したＭｕＭｅダミーコーデックに相当するが、区別するために、所謂ＣｏＩＤパラメータに別の値が使用されている。ＭｕＭｅ  ダミーＣｏｄｅｃ  Ｎｅｗは、追加パラメータを必要としない。
【００７６】
図示されている信号伝送フローは、次に述べる相違点を除いて、図２に示した信号伝送フローと一致する。
【００７７】
工程１８
サービス提供用中継ユニットＳ−ＭＳＣ２は、端末の加入者がサービス切替を始動したことを示すために、この発明によるＭｕＭｅ  Ｃｏｄｅｃ  Ｏｌｄを使用する。
【００７８】
工程１９〜２１
この発明では、ゲートウェイ中継ユニットＧ−ＭＳＣ２、ゲートウェイ中継ユニットＧ−ＭＳＣ１及びサービス提供用中継ユニットＳ−ＭＳＣ１は、ＭｕＭｅ  Ｃｏｄｅｃ  Ｏｌｄが使用されていることから、端末の加入者がサービス切替を始動したことを推定する。
【００７９】
工程４１
この発明では、サービス提供用中継ユニットＳ−ＭＳＣ１は、通信ネットワークのネットワークユニットがサービス切替を始動したことを示すために、ＭｕＭｅ  Ｃｏｄｅｃ  Ｎｅｗを使用する。
【００８０】
工程４２〜４４
この発明では、ゲートウェイ中継ユニットＧ−ＭＳＣ１、ゲートウェイ中継ユニットＧ−ＭＳＣ２及びサービス提供用中継ユニットＳ−ＭＳＣ２は、ＭｕＭｅ  Ｃｏｄｅｃ  Ｏｌｄが使用されていることから、端末の加入者がサービス切替を始動したことを推定する。
【００８１】
図４は、この発明による方法を実施するための受信ユニットＥ、送信ユニットＳ及び処理ユニットＶを備えた、この発明による図２と図３に示したネットワークユニットを図示している。
【図面の簡単な説明】
【００８２】
【図１】典型的な通信ネットワーク構成
【図２】この発明による信号伝送フロー
【図３】変更されたＭｕＭｅコーデックの実現可能な符号化法
【図４】この発明によるネットワークユニット
【図１】
2008533770.tif 000003
【図２】
2008533770.tif 000004
【図３】
2008533770.tif 000005
【図４】
2008533770.tif 000006
【手続補正書】
【提出日】平成19年11月22日(2007.11.22)
【手続補正１】
【補正対象書類名】図面
【補正対象項目名】図２
【補正方法】変更
【補正の内容】
【図２】
2008533770.tif 000007
【手続補正２】
【補正対象書類名】図面
【補正対象項目名】図３
【補正方法】変更
【補正の内容】
【図３】
2008533770.tif 000008
【国際調査報告】
2008533770.tif 000009
2008533770.tif 000010
2008533770.tif 000011
2008533770.tif 000012
2008533770.tif 000013
2008533770.tif 000014